(57)【特許請求の範囲】
【請求項１】
任意の再生時間で構成された情報が複数記録された第１記録媒体を再生すると共に、この再生された情報を、上記第１記録媒体とは別の第２記録媒体に第１の圧縮率にて記録する情報記録再生手段を備えた編集装置であって、
上記第１記録媒体の情報の総再生時間が、上記第２記録媒体の記録可能時間よりも長い場合、上記第１記録媒体の各情報をそのうちの１つの情報のみ上記第１の圧縮率よりも高い第２の圧縮率にて記録したときに実際に必要な実記録時間を、第２の圧縮率にて記録する情報を切り換えながら１つずつ求めていき、求めた実記録時間が上記第２記録媒体の記録可能時間と同じか小さくなったとき、このときの実記録時間を実現する圧縮条件で上記第１記録媒体の各情報を上記第２記録媒体に記録するように上記情報記録再生手段を制御する記録再生制御手段を備え、
該記録再生制御手段は、１つの情報のみを第２の圧縮率にて記録したときの実記録時間がいずれも上記第２記録媒体の記録可能時間と同じか小さくならなかった場合は、さらに、第２の圧縮率にて記録する情報数を１増加させて２つの情報を第２の圧縮率にて記録したときの実記録時間を、第２の圧縮率にて記録する情報を切り換えながら１組ずつ求めていき、ここでも求めたすべての実記録時間が上記第２記録媒体の記録可能時間と同じか小さくならなかった場合は、第２の圧縮率にて記録する情報数をさらに１増加させて、同様の処理を繰り返すことを特徴とする編集装置。
【請求項２】
上記記録再生制御手段は、組み合わせる情報数が予め定められており、該定められた情報数の組み合せまで求めた実記録時間が上記第２記録媒体の記録可能時間と同じか小さくならなかった場合は、上記第１の圧縮率よりも高める圧縮率を、第２の圧縮率よりもさらに高い第３の圧縮率へと変更することを特徴とする請求項１記載の編集装置。
【請求項３】
上記記録再生制御手段は、１つの情報のみを第２の圧縮率にて記録したときの実記録時間のいずれもが上記第２記録媒体の記録可能時間と同じか小さくならなかった場合は、第２の圧縮率にて記録する情報数を増加させて同様の処理を繰り返す前に、上記第１の圧縮率よりも高める圧縮率を、第２の圧縮率よりもさらに高い第３の圧縮率へと変更することを特徴とする請求項１記載の編集装置。
【請求項４】
第１記録媒体に記録された情報のうち、第１の圧縮率よりも高い圧縮率による記録を行わない情報を指定する非圧縮情報指定手段を備え、
上記記録再生制御手段は、上記非圧縮情報指定手段により指定された情報を、第１の圧縮率よりも高い圧縮率にて記録する対象より外すことを特徴とする請求項１ないし３の何れかに記載の編集装置。
【発明の詳細な説明】
【０００１】
【発明の属する技術分野】
本発明は、記録媒体に記録された情報を再生する再生部と、記録媒体に情報を記録する記録部とが独立して設けられた情報記録再生装置に備えられ、再生部で再生された情報を記録部で記録媒体に記録する際に、該記録媒体に記録すべき情報を自動的に編集する編集装置に関するものである。
【０００２】
【従来の技術】
従来より、再生部と記録部とを別々に設けた情報記録再生装置は、再生部で記録媒体に記録された情報を再生し、この再生した情報を記録部で別の記録媒体に記録する場合、記録情報を自動的に編集して記録媒体に記録するために、一般的にマイクロコンピュータを用いた編集装置を有している。
【０００３】
ここで、編集装置について、図９を参照しながら以下に説明する。なお、説明の便宜上、上記再生部はＣＤ（compact disc）を再生し、上記記録部はＭＤ（mini  disc）に情報（曲）を記録（録音）するものとする。
【０００４】
上記編集装置は、図９に示すように、操作部１０１、再生部としてＣＤ制御部１０２とＣＤ再生部１０３、記録部としてＭＤ制御部１０４とＭＤ録音部１０５を備えた構成となっている。
【０００５】
上記構成の編集装置において、ＣＤからＭＤに録音する曲を決定するための処理の流れについて、図９に示すブロック図および図１０に示すフローチャートを参照しながら以下に説明する。
【０００６】
まず、前準備として、情報記録再生装置の再生部にＣＤを装填すると共に、記録部にＭＤを装填する。
【０００７】
次に、再生部に装填されたＣＤに基づいて、ＣＤ制御部１０２内のＣＤデータ記憶部１０６に、該ＣＤ総演奏時間ＴCDおよびＣＤ各曲演奏時間Ｔ1 〜ＴN （Ｎ曲入りのＣＤ）が入力される。一方、記録部に装填されたＭＤに基づいて、ＣＤ制御部１０２内の録音可能時間記憶部１０７に、ＭＤ制御部１０４内のＭＤ録音時間演算部１１０にて得られたＭＤ録音可能時間ＴMDが入力される。
【０００８】
続いて、機器の操作者が操作部１０１の編集キー１１２を押すと、上記録音可能時間記憶部１０７より得られるＴMD、及びＣＤデータ記憶部１０６より得られるＴCDとＴ1 〜ＴN が、ＣＤ制御部１０２内の実録音時間演算部１０８に入力され、ＣＤ制御部１０２内の録音曲設定部１０９においてＭＤに録音される録音曲が設定される。
【０００９】
上記録音曲設定部１０９では、図１０に示すフローチャートに従って録音曲を設定するようになっている。
【００１０】
まず、録音曲設定部１０９に、ＣＤ総演奏時間ＴCD、ＣＤ各曲演奏時間Ｔ1 〜ＴN が入力される（ステップＳ１０１）。
【００１１】
続いて、録音曲設定部１０９に、ＭＤ録音可能時間ＴMDが入力される（ステップＳ１０２）。
【００１２】
次に、ＣＤ総演奏時間ＴCDとＭＤ録音可能時間ＴMDとが比較され、ＴCD＞ＴMDの判定が行なわれる（ステップＳ１０３）。ここで、ＴCD＞ＴMDでない、すなわちＣＤ総演奏時間ＴCDがＭＤ録音可能時間ＴMDと同じか小さいと判定されれば、ＭＤ制御部１０４のＭＤ録音制御部１１１に対して、全てのＣＤの曲をＭＤにそのまま録音するように指示する信号を出力する。
【００１３】
そして、操作者が操作部１０１のSTART キー１１３を押すと、ＣＤ再生部１０３によりＣＤが再生されると共に、ＭＤ制御部１０４内のＭＤ録音制御部１１１からの制御信号に基づいてＭＤ録音部１０５がＭＤの録音を開始する。このとき、ＣＤの全ての曲がＭＤにそのまま録音される（ステップＳ１０４）。
【００１４】
一方、ステップＳ１０３において、ＴCD＞ＴMDである、すなわちＣＤ総演奏時間ＴCDがＭＤ録音可能時間ＴMDよりも大きいと判定されれば、ステップＳ１０５において、以下の判定式（１）に基づいて、録音曲を決定するためのｍを求める。
【００１５】
【数１】
0003862945.tif 000002
【００１６】
最後に、ステップＳ１０５で求めたｍに基づいて、ステップＳ１０６により、ＣＤのｍ曲目までを録音し、ｍ＋１〜Ｎ（ＣＤの収録曲数Ｎ）曲目までは録音しないように制御する制御信号をＭＤ録音制御部１１１に出力する。
【００１７】
例えば、ＣＤ総演奏時間ＴCDが３２分で、ＭＤ録音可能時間ＴMDが２８分であり、ＣＤの各曲の演奏時間が以下の表１に示す場合について説明する。
【００１８】
【表１】
0003862945.tif 000003
【００１９】
判定式（１）において、ｍ＝１の場合、以下の式（２）となる。
【００２０】
【数２】
0003862945.tif 000004
【００２１】
判定式（１）において、ｍ＝２の場合、以下の式（３）となる。
【００２２】
【数３】
0003862945.tif 000005
【００２３】
判定式（１）において、ｍ＝３の場合、以下の式（４）となる。
【００２４】
【数４】
0003862945.tif 000006
【００２５】
判定式（１）において、ｍ＝４の場合、以下の式（５）となる。
【００２６】
【数５】
0003862945.tif 000007
【００２７】
よって、ｍ＝３が最大曲数となる。
【００２８】
そこで、録音曲設定部１０９によって、ＣＤの１〜３曲目を録音することが決定され、このときの制御信号がＭＤ録音制御部１１１に出力される。
【００２９】
そして、操作者が操作部１０１ののSTART キー１１３を押すと、ＣＤ再生部１０３によりＣＤが再生されると共に、ＭＤ制御部１０４内のＭＤ録音制御部１１１からの制御信号に基づいてＭＤ録音部１０５がＭＤの録音を開始する。このとき、ＣＤ再生部１０３では、ＣＤの全曲演奏を行なうが、ＭＤ録音部１０５では、ＭＤ録音制御部１１１からの制御信号に基づいてＣＤの１〜３曲目までの録音を行なうようになっている。
【００３０】
上述のように、従来の編集装置では、ＣＤ総演奏時間ＴCDがＭＤ録音可能時間ＴMDよりも大きい場合、ＣＤの全ての曲がＭＤに録音することができないという問題が生じる。上述の例では、ＣＤ全５曲のうちの１〜３曲までしかＭＤに録音できず、４曲目と５曲目は未録音のままとなっている。
【００３１】
ところで、ＭＤは、通常、ＡＴＲＡＣ（Adaptive Transform Acoustic Coding）方式により、ＣＤに記録された曲（オーディオ信号）を約１／５に圧縮して録音するようになっている。そこで、ＣＤに記録された曲を、通常ＭＤに録音する場合の圧縮率より大きな圧縮率で該ＭＤに録音することで、未録音の曲のないようにＣＤの全曲をＭＤに録音することが考えられる。
【００３２】
例えば、日本ビクター株式会社製のＣＤ−ＭＤポータブルシステム（ＲＣ−Ｍ３３０）では、ＭＤの２倍長／４倍長時間録音する方式が採用されている。ここでは、２倍長でＭＤに録音する場合には、ＣＤに記載された曲を約１／５×１／２＝１／１０に圧縮して録音し、４倍長でＭＤに録音する場合には、ＣＤに記載された曲を約１／５×１／４＝１／２０に圧縮して録音することになる。
【００３３】
【発明が解決しようとする課題】
ところで、従来の技術のように、圧縮率を１／２（２倍長時間録音）や１／４（４倍長時間録音）に変更してＣＤの曲を圧縮してＭＤに録音するようにすれば、ＣＤ総演奏時間ＴCDがＭＤ録音可能時間ＴMDよりも大きい場合であっても、ＣＤの全曲をＭＤに録音することが可能となる。
【００３４】
例えば、ＭＤの録音可能時間が２８分であり、ＣＤの総演奏時間が３２分の場合に、ＣＤの全曲を１／２に圧縮すれば、ＭＤへの実録音時間は３２分×１／２＝１６分となる。この場合には、録音可能時間が２８分のＭＤに、ＣＤの全ての曲が録音できる。
【００３５】
ところが、ＭＤの録音可能時間が１５分であれば、ＣＤの総演奏時間が３２分のものを全曲１／２で圧縮しても全曲録音することができない。すなわち、単純に圧縮率を変更しても必ずしもＣＤの全曲をＭＤに録音できるとは限らない。
【００３６】
しかも、ＣＤに記録されたどの曲の圧縮率をどの程度に設定すれば、限られた録音時間のＭＤに対してＣＤの全曲を録音できるか否かの判断を、機器の操作者の『勘』に頼る部分が大きかった。例えば、操作者が電卓を片手に計算して、圧縮率を高める曲を判断するようになっていた。
【００３７】
したがって、ＣＤに記録された全曲に対して、ＭＤに録音するために繁雑な処理が必要となり、ＣＤに記録されたどの曲の圧縮率をどの程度大きくすれば、ＣＤ全曲をＭＤに録音できるか否かを判断するための時間（演算時間）が長くなるという問題が生じる。
【００３８】
本発明は、上記の問題点を解決するためになされたもので、その目的は、再生側の記録媒体に記録された情報の総再生時間、例えばＣＤ総演奏時間が、記録側の記録媒体に記録可能な時間、例えばＭＤ録音可能時間よりも長い場合に、ＣＤのどの曲をどの程度の圧縮率でＭＤに録音するかを迅速に判断することにより、録音時間の限られたＭＤに対してＣＤ全曲を効率よく録音できるように編集可能な編集装置を提供することにある。
【００３９】
【課題を解決するための手段】
本発明の編集装置は、上記の課題を解決するために、任意の時間で構成された情報が複数記録された第１記録媒体を再生すると共に、この再生された情報を、上記第１記録媒体とは別の第２記録媒体に記録する情報記録再生手段と、上記第１記録媒体の情報の総再生時間が、上記第２記録媒体の記録可能時間よりも長い場合、上記第１記録媒体の各情報の少なくとも１つを圧縮して上記第２記録媒体に記録したときの実際の記録に必要な実記録時間が上記第２記録媒体の記録可能時間と同じか小さくなるような該第１記録媒体の情報の圧縮条件を求め、この圧縮条件で上記第１記録媒体の各情報を上記第２記録媒体に記録するように上記情報記録再生手段を制御する記録再生制御手段とを有することを特徴としている。
【００４０】
上記の構成によれば、第１記録媒体の情報の総再生時間が第２記録媒体の記録可能時間よりも長い場合に、記録再生制御手段によって、第１記録媒体の各情報の少なくとも１つを圧縮して上記第２記録媒体に記録したときの実際の記録に必要な実記録時間が求められ、この実記録時間が上記第２記録媒体の記録可能時間と同じか小さいときに、この実記録時間を実現する圧縮条件で上記第１記録媒体に記録された情報を上記第２記録媒体に記録するように上記情報記録再生手段が制御される。
【００４１】
ここで、圧縮条件は、例えば、第１記録媒体に記録されたどの情報を、どの程度の圧縮率で圧縮するかの条件を示している。
【００４２】
これにより、第１記録媒体の情報の総再生時間が第２記録媒体の記録可能時間よりも長い場合でも、第１記録媒体の情報を全て第２記録媒体に記録することができる。
【００４３】
しかも、第１記録媒体に記録されている情報のうち、圧縮対象となる情報が上記記録再生制御手段により自動的に求まるので、従来のように、機器の操作者の『勘』によりどの情報を圧縮するかを決定する必要がなくなる。
【００４４】
したがって、第１記録媒体の情報の総再生時間が第２記録媒体の記録可能時間よりも長い場合に、機器の操作者の『勘』に頼ることなく、誰が操作をしても簡単に第１記録媒体の情報を全て第２記録媒体に記録することができる。
【００４５】
上記編集動作を具体的にすれば、例えば、上記記録再生制御手段は、任意の圧縮率で上記第１記録媒体の各情報を一つずつ圧縮したときの実記録時間をそれぞれ求めて、求めた実記録時間が上記第２記録媒体の記録可能時間と同じか小さくなったとき、このときの実記録時間を実現する圧縮条件で上記第１記録媒体に記録された情報を上記第２記録媒体に記録するように上記情報記録再生手段を制御してもよい。
【００４６】
この場合、任意の圧縮率で第１記録媒体に記録された情報を一つずつ圧縮した場合の実記録時間を順に求めて、その実記録時間が上記第２記録媒体の記録可能時間と同じか小さくなったときに、上記第１記録媒体に記録された情報を上記第２記録媒体に記録するようになるので、第１記録媒体に記録された全ての情報に対して圧縮して実記録時間を求める必要がなくなる。
【００４７】
これにより、第１記録媒体の情報の総再生時間が第２記録媒体の記録可能時間よりも長い場合の、第１記録媒体から第２記録媒体への情報の記録を迅速に行なうことができる。
【００４８】
また、第１記録媒体の各情報の全てに対して圧縮してそれぞれ実記録時間を求めても、何れの実記録時間も第２記録媒体の記録可能時間よりも大きい場合がある。このような場合は、以下のような方法で対処すればよい。
【００４９】
例えば、記録再生制御手段は、任意の圧縮率で上記第１記録媒体の各情報を一つずつ圧縮したときの実記録時間をそれぞれ求め、これらの実記録時間の何れも上記第２記録媒体の記録可能時間よりも大きいとき、実記録時間が第２記録媒体の記録可能時間と同じか小さくなるように上記圧縮率を変更するようにすればよい。
【００５０】
さらに、本発明の編集装置は、第１記録媒体に記録された情報のうち、圧縮記録を行なわない情報を指定する非圧縮情報指定手段を備え、記録再生制御手段は、上記非圧縮情報指定手段により指定された情報以外の情報の何れかを圧縮して、第１記録媒体の各情報を第２記録媒体に記録するように上記情報記録再生手段を制御する構成としてもよい。
【００５１】
この場合、例えば、第１記録媒体に記録された情報のうち、機器の操作者が圧縮を望まない情報がある場合には、非圧縮情報指定手段によりその情報を予め指定し、この指定した情報以外の情報の何れかを圧縮して第２記録媒体に情報の記録を行なうことができる。
【００５２】
【発明の実施の形態】
〔実施の形態１〕
本発明の実施の一形態について説明すれば、以下の通りである。なお、本実施の形態では、第１記録媒体としてＣＤを採用し、任意の時間で構成された再生情報としてオーディオ情報（曲）とし、第２記録媒体として、第１記録媒体と記録方式が異なるＭＤを採用する。また、本実施の形態では、ＣＤに記録されたオーディオ情報（曲）をＭＤに録音可能な情報記録再生装置に備えられた編集装置について説明する。
【００５３】
さらに、本実施の形態および以下の他の実施の形態では、ＭＤへの曲の録音について説明しているので、説明の便宜上、特許請求の範囲で記載した記録を録音に置き換えて説明する。
【００５４】
本実施の形態に係る編集装置は、図１に示すように、情報記録再生装置における操作部１、ＣＤを再生するするために必要なＣＤ制御部２およびＣＤ再生部３、ＭＤにオーディオ情報を録音するために必要なＭＤ制御部４およびＭＤ録音部５を備えた構成となっている。つまり、上記ＣＤ再生部３とＭＤ録音部５とで、情報記録再生手段を構成し、上記ＣＤ制御部２とＭＤ制御部４とで、上記情報記録再生手段を制御するための記録再生制御手段を構成している。
【００５５】
操作部１には、編集キー１１、START キー１２、モード切替キー１３、非選曲指定キー（非圧縮情報指定手段）１４、ＦＷＤキー１５、ＲＥＶキー１６が設けられている。
【００５６】
上記操作部１において、機器の操作者が上記編集キー１１は、編集装置における編集処理を実行させるためのキーであり、START キー１２は、ＣＤを再生すると共にＭＤに曲の録音を開始させるためのキーであり、モード切替キー１３は、後述する編集モードを切り換えるためのキーであり、非選曲指定キー１４は、ＭＤに録音しないＣＤの曲を選択するためのキーであり、ＦＷＤキー１５は、ＣＤの再生時に曲を順送りするためのキーであり、ＲＥＶキー１６は、ＣＤの再生時に曲を逆送りするためのキーである。
【００５７】
上記操作部１からは、操作されたキーに基づいた制御信号がＣＤ制御部２に入力される。ＣＤ制御部２では、入力された制御信号に基づいて各種の制御を行なう。
【００５８】
上記ＣＤ制御部２は、ＣＤデータ記憶部２１、録音可能時間記憶部２２、圧縮率指定部２３、実録音時間演算部２４、録音曲設定部２５、圧縮録音曲決定部２６で構成されている。
【００５９】
上記ＣＤデータ記憶部２１では、ＣＤの総時間情報（総演奏時間）とＣＤに収録されている各曲の演奏時間情報とが記憶される。
【００６０】
上記録音可能時間記憶部２２では、ＭＤ録音部５に装填されているＭＤの録音可能時間情報が記憶される。
【００６１】
上記圧縮率指定部２３では、ＣＤの曲の圧縮率が指定される。
【００６２】
上記実録音時間演算部２４では、ＣＤデータ記憶部２１に記憶されたＣＤの総時間情報および各曲の演奏時間情報と、録音可能時間記憶部２１に記憶されたＭＤの録音可能時間情報と、圧縮率指定部２３により指定された圧縮率情報とが入力されると、ＭＤに対する実録音時間が演算され、ＣＤの録音曲を設定するために必要な情報と、圧縮録音する曲を決定するために必要な情報とを生成する。
【００６３】
上記録音曲設定部２５では、実録音時間演算部２４により生成された情報に基づいて、ＣＤの録音曲を設定し、録音曲設定情報を生成する。
【００６４】
上記圧縮録音曲決定部２６では、実録音時間演算部２４により生成された情報に基づいて、ＣＤに収録された曲の圧縮録音する曲を決定し、圧縮録音曲決定情報を生成する。
【００６５】
上記ＣＤ制御部２において生成された各種の制御信号は、ＣＤ再生部３に出力されると共に、ＭＤ制御部４に出力される。
【００６６】
上記ＣＤ再生部３では、ＣＤ制御部２からの制御信号（再生開始を示す信号等）に基づいてＣＤを再生する。
【００６７】
また、上記ＭＤ制御部４は、ＭＤ録音時間演算部４１、ＭＤ録音制御部４２、録音モード設定部４３とで構成されている。
【００６８】
上記ＭＤ録音時間演算部４１は、録音に使用するＭＤの録音時間（録音可能な時間）を演算し、この演算結果をＣＤ制御部２の録音可能時間記憶部２１に出力するようになっている。
【００６９】
上記ＭＤ録音制御部４２は、ＣＤ制御部２の録音曲設定部２５から録音曲設定情報が入力され、この録音曲設定情報に基づいてＭＤ録音部５におけるＭＤの録音制御を行なうための録音制御信号を生成するようになっている。
【００７０】
上記録音モード設定部４３は、ＣＤ制御部２の圧縮録音曲決定部２６から圧縮録音曲決定情報が入力され、この圧縮録音曲決定情報に基づいてＭＤ録音部５における録音モード設定を行なう録音モード設定信号を生成するようになっている。この録音モードについては、後述する。
【００７１】
従って、ＭＤ制御部４のＭＤ録音制御部４２で生成される録音制御信号、ＭＤ制御部４の録音モード設定部４３で生成される録音モード設定信号がそれぞれＭＤ録音部５に出力される。
【００７２】
上記ＭＤ録音部５では、ＭＤ録音制御部４２からの録音制御信号および録音モード設定部４３からの録音モード設定信号に基づいて、ＣＤ再生部３により再生されている曲を、ＭＤに録音するようになっている。
【００７３】
ここで、上記構成の編集装置の編集動作について、以下に説明するが、その前に、上述した録音モードについて説明する。
【００７４】
一般に、ＭＤは、直径が６４ｍｍの光磁気ディスク上にオーディオ信号を記録するようになっているので、直径が１２０ｍｍのＣＤのように１６ビットのＰＣＭ (Pulse Code Modulation)データをそのまま記録すると、１５分足らずのオーディオ信号しか録音することができない。
【００７５】
そこで、通常、直径１２０ｍｍのＣＤ並の録音時間を確保するために、オーディオ信号を元の約１／５に圧縮して記録する必要がある。そして、圧縮して記録したオーディオ信号は、再生時に、伸張する必要がある。これらの圧縮記録・伸張再生の処理は、ＡＴＲＡＣ(Adaptive Transform Acoustic Coding)方式により行なわれる。
【００７６】
上記ＡＴＲＡＣ方式による録音モードを、標準録音モードと称する。この標準録音モードは、主に、ＣＤの総演奏時間に比べてＭＤの録音可能時間が等しいか小さい場合に使用される。
【００７７】
また、本実施の形態では、上記の標準録音モードよりも圧縮率の高い、つまり、ＡＴＲＡＣ方式よりも圧縮率の高い、ＡＴＲＡＣ３方式を採用している。このＡＴＲＡＣ３方式では、上記標準録音モードの２倍の圧縮率でオーディオ信号を圧縮録音する第１圧縮録音モード（ＡＴＲＡＣ３ＬＰ２）と、上記標準録音モードの４倍の圧縮率でオーディオ信号を圧縮録音する第２圧縮録音モード（ＡＴＲＡＣ３ＬＰ４）とが実行できるようになっている。
【００７８】
以上のことから、本編集装置を備えた情報記録再生装置では、ＭＤにオーディオ信号を録音するために、標準録音モード、第１圧縮録音モード、第２圧縮録音モードの３つの録音モードを手動あるいは自動で切替え可能となっている。
【００７９】
次いで、上記構成の編集装置による編集動作について、図１のブロック図、図２ないし図８に示すフローチャートを参照しながら、以下に説明する。
【００８０】
上記編集装置では、ＭＤ制御部４内のＭＤ録音時間演算部４１で得られたＭＤの録音可能時間ＴMDがＣＤ制御部２の内部の録音可能時間記憶部２２に入力される。一方、ＣＤの総演奏時間ＴCDおよび各曲演奏時間Ｔ1 〜ＴN がＣＤ制御部２の内部のＣＤデータ記憶部２１に入力される。
【００８１】
機器の操作者が操作部１の編集キー１１を押すと、録音可能時間記憶部２２より得られるＴMD、ＣＤデータ記憶部２１より得られるＴCD、およびＴ1 〜ＴN はＣＤ制御部２の内部の実録音時間演算部２４に入力される。さらに、圧縮率指定部２３で指定された圧縮率ｃが実録音時間演算部２４に入力される。
【００８２】
実録音時間演算部２４では、図２〜図４に示すフローチャートに従ってｔ＜ＴMDになるｔが求められる。なお、図２〜図４に示すフローチャートについては後述する。
【００８３】
実録音時間演算部２４の演算結果は、圧縮録音曲決定部２６を経てＭＤ制御部４の内部の録音モード設定部４３に出力され、どの曲を圧縮録音するかは録音曲設定部２５を経てＭＤ制御部４の内部のＭＤ録音制御部４２に出力される。
【００８４】
また、いかなるｔでもｔ＜ＴMDとならない場合に録音不可のＣＤの曲は実録音時間演算部２４から録音曲設定部２５に出力され、録音曲設定部２５からＭＤ制御部４の内部のＭＤ録音制御部４２へ出力される。
【００８５】
機器の操作者がSTART キー１２を押すと、ＣＤ再生部３は演奏を開始し、ＭＤ録音部５はＭＤ制御部４の内部のＭＤ録音制御部４２により録音動作制御を行い、曲の録音モード（圧縮／非圧縮）は録音モード設定部４３によりコントロールされる。
【００８６】
ここで、録音モードの圧縮は、上述したＡＴＲＡＣ３ＬＰ２方式の第１圧縮録音モードおよびＡＴＲＡＣ３ＬＰ４方式の第２圧縮録音モードを示し、録音モードの非圧縮は、ＡＴＲＡＣ方式の標準録音モードを示している。なお、厳密には、標準録音モードにおいても、元のオーディオ信号を約１／５に圧縮して録音するようになっているが、説明の便宜上、非圧縮と表現している。
【００８７】
以下、図２〜図４に示すフローチャートに基づいて編集装置の編集動作について説明する。なお、本編集動作の説明では、主に実録音時間演算部２４の動作の説明を行なっている。
【００８８】
ステップＳ１では、ＣＤ総演奏時間：ＴCD、ＣＤ各曲演奏時間：Ｔ1 〜ＴN （Ｎ曲入りディスク）がＣＤから読み取られ、入力される。
【００８９】
ステップＳ２では、ＭＤ録音可能時間：ＴMDが入力される。
【００９０】
ステップＳ３では、録音時の圧縮率ｃが入力される。
【００９１】
前述したように、通常、ＭＤの録音はＡＴＲＡＣの場合で約１／５、ＡＴＲＡＣ３ＬＰ２の場合で約１／１０、ＡＴＲＡＣ３ＬＰ４の場合で約１／２０であるが、ここではＡＴＲＡＣの場合でｃ＝１、ＡＴＲＡＣ３ＬＰ２の場合で圧縮率ｃ＝１／２、ＡＴＲＡＣ３ＬＰ４の場合で圧縮率ｃ＝１／４としている。
【００９２】
次に、ステップＳ４でＴMD＞ＴCDの判定が行われる。ここで、ＹＥＳであれば、ステップＳ５に移行し、全曲録音を行なう。この場合、ＣＤのどの曲も圧縮しなくてもＭＤに全曲録音することができる。
【００９３】
一方、ステップＳ４において、ＮＯであれば、次に、ステップＳ６でＴMD＞ｃ・ＴCDの判定が行われる。ここで、ＮＯであれば、圧縮率ｃで全曲圧縮してもＭＤに全曲録音できないことがわかる（ステップＳ７）。よって、従来技術で説明した図１０のフローチャートのステップＳ１０５と同様に、式（１）を満足するｍを求める（ステップＳ８）。
【００９４】
そして、機器の操作者によってSTART キー１２が押されたならば、ＣＤの１〜ｍ曲目までを録音し、ｍ＋１〜Ｎ曲目は録音しない（ステップＳ９）。
【００９５】
一方、ステップＳ６において、ＹＥＳであれば、ステップＳ１０に移行し、変数ｉにＮ（ＣＤ最終曲ＴNo.)が設定された後、ステップＳ１１でｉ＝０の判定が行われる。
【００９６】
ステップＳ１１でＹＥＳと判定された場合は、後述のｔをＣＤの１曲目まで計算してもｔ＜ＴMDとならなかった場合であり、図３に示すステップＳ１５に移行し、以降のフローチャートでＣＤ２曲の組み合わせでｔ＜ＴMDとならないか計算を行う（ステップ１５以降）。
【００９７】
一方、ステップＳ１１でＮＯと判定された場合は、まだ後述のｔをＣＤの１曲目まで計算していない場合であり、ステップＳ１２で、以下に示す判定式
ｔ＝ＴCD−Ｔi ＋ｃ・Ｔi ＜ＴMD
の計算を行う。
【００９８】
ここで、ステップＳ１２の判定でＹＥＳの場合、すなわち、ステップＳ１２で上記判定式を満足する場合は、ｉ曲目を圧縮率ｃとし、その他の曲は圧縮しないで録音する（ステップＳ１３）。つまり、ＣＤのｉ曲目を圧縮録音すればＣＤの全曲がＭＤに録音可能であることがわかる。
【００９９】
一方、ステップＳ１２の判定でＮＯの場合は、変数ｉを１減じて（ステップＳ１４）、再度ステップＳ１１に移行する。
【０１００】
次に、図３に示すフローチャートを参照しながら、上述したステップＳ１５以降の処理の流れについて説明する。
【０１０１】
ステップＳ１５で変数ｉにＮ（ＣＤ最終曲ＴNo.)が設定されると、ステップＳ１６でｉ＝１の判定が行われる。
【０１０２】
ステップＳ１６でＹＥＳの場合は、後述のｔをＣＤの２曲目まで（すなわち、１曲目＋２曲目）計算してもｔ＜ＴMDとならなかった場合であり、図４に示すステップＳ２３に移行し、以降のフローチャートでＣＤの３曲目までの組み合わせでｔ＜ＴMDとならないか計算を行う（ステップＳ２３以降）。
【０１０３】
一方、ステップＳ１６でＮＯの場合は、まだ後述のｔをＣＤの２曲目まで計算していない場合であり、ステップＳ１７で第２変数であるｊにｉ−１を代入する。
【０１０４】
次に、ステップＳ１８で、以下に示す判定式
ｔ＝ＴCD−（Ｔi ＋Ｔj ）＋ｃ（Ｔi ＋Ｔj ）＜ＴMD
の計算を行う。
【０１０５】
ステップＳ１８の判定でＹＥＳの場合、ステップＳ２２に移行し、ｉ，ｊ曲目を圧縮率ｃとし、その他の曲は圧縮しないで録音する。すなわち、上記判定式を満足する場合は、ＣＤのｉ曲目およびｊ曲目を圧縮録音すればＣＤ全曲がＭＤに録音可能であることがわかる。
【０１０６】
一方、ステップＳ１８の判定でＮＯの場合、ステップＳ１９で変数ｊを１減じ、ｊ＝０の判定を行う（ステップＳ２０）。
【０１０７】
ステップＳ２０の判定でＮＯの場合、再度ステップＳ１８に移行する。ＹＥＳの場合は、ステップＳ２１で変数ｉを１減じて、再度ステップＳ１８に移行する。
【０１０８】
次に、図４に示すフローチャートを参照しながら、上述したステップＳ２３以降の処理の流れについて説明する。
【０１０９】
ステップＳ２３で変数ｉにＮ（ＣＤ最終曲ＴNo.)が設定されると、ステップＳ２４でｉ＝２の判定が行われる。
【０１１０】
ステップＳ２４でＹＥＳの場合は、後述のｔをＣＤの３曲目まで（すなわち、１曲目＋２曲目＋３曲目）計算してもｔ＜ＴMDとならなかった場合である。この場合は、ＴMD＞ｃ・ＴCDの関係は図２に示すステップＳ６で判定済みであるため、ＣＤの全曲を圧縮率ｃでＭＤへ録音することとする（ステップＳ２５）。
【０１１１】
ここで、本実施の形態では、３曲までのＣＤ曲の組み合わせを求める仕様とし、ステップＳ２５でＣＤ全曲を圧縮率ｃでＭＤへ録音することとしたが、ＣＤの組み合わせ曲数を、５曲、６曲と増やしていってももちろん構わない。
【０１１２】
また、ステップＳ２４の判定がＮＯの場合、まだ後述のｔをＣＤの３曲目まで計算していない場合であり、ステップＳ２６で第２変数であるｊにｉ−１を代入し、ステップＳ２７で第３変数であるｋにｊ−１を代入する。
【０１１３】
次に、ステップＳ２８で、以下に示す判定式
ｔ＝ＴCD−（Ｔi ＋Ｔj ＋Ｔk ）＋ｃ（Ｔi ＋Ｔj ＋Ｔk ）＜ＴMD
の計算を行う。
【０１１４】
ステップＳ２８でＹＥＳの場合、ステップＳ２９でｉ，ｊ，ｋ曲目を圧縮率ｃとし、その他の曲は圧縮しないで録音する。すなわち、ステップＳ２８で上記の判定式を満足する場合は、ＣＤのｉ曲目、ｊ曲目、およびｋ曲目を圧縮録音すればＣＤ全曲がＭＤに録音可能であることがわかる。
【０１１５】
一方、ステップＳ２８の判定でＮＯの場合は、ステップＳ３０で変数ｋを１減じて、ｋ＝０の判定を行う（ステップＳ３１）。
【０１１６】
ステップＳ３１の判定でＮＯの場合は、再度ステップＳ２８に移行する。ＹＥＳの場合は、ステップＳ３２で変数ｊを１減じて、ｊ＝０の判定を行う（ステップＳ３３）。
【０１１７】
ステップＳ３３でＮＯの場合は、ステップＳ２７に戻る。ＹＥＳの場合は、ステップＳ３４で変数ｉを１減じてステップＳ２８に戻る。
【０１１８】
以上の動作によりＣＤ３曲までの圧縮録音する曲の組み合わせを求めることで、ＴCD＞ＴMDの場合であってもＣＤ全曲をＭＤ内に録音することができる。
【０１１９】
以下に、上記編集装置を用いた編集動作の一例を示す。
【０１２０】
まず、ＣＤの演奏時間は、表２に示した通りであり、ＭＤの録音可能時間（ＴMD）は２８分とし、圧縮率（ｃ）は１／２とする場合について説明する。このＣＤの演奏時間とＭＤの録音可能時間（ＴMD）は、従来の技術で説明した編集動作の場合と同じである。
【０１２１】
【表２】
0003862945.tif 000008
【０１２２】
ここで、ｉ＝５の場合、すなわち、ＣＤの５曲目を１／２に圧縮する場合、
0003862945.tif 000009
であり、
ｉ＝４の場合、すなわち、ＣＤの４曲目を１／２に圧縮する場合、
0003862945.tif 000010
であり、
ｉ＝３の場合、すなわち、ＣＤの３曲目を１／２に圧縮する場合、
0003862945.tif 000011
となり、３曲目を１／２圧縮すればＣＤ全曲がＭＤ内に録音されることになる。
【０１２３】
次に、ＭＤの録音可能時間（ＴMD）を２７分とした場合について説明する。なお、本説明では、ＴMDを２８分から２７分に変更した以外、前記説明と同様の条件とする。すなわち、ＣＤの演奏時間は表３に示した通りであり、圧縮率（ｃ）は１／２である。
【０１２４】
【表３】
0003862945.tif 000012
【０１２５】
ここで、ｉ＝５の場合、すなわち、ＣＤの５曲目を１／２に圧縮する場合、
0003862945.tif 000013
であり、
同様に、ｉ＝４、…、ｉ＝１を求めると、
ｉ＝１の場合、すなわち、ＣＤの１曲目を１／２に圧縮する場合、
0003862945.tif 000014
となる。
【０１２６】
したがって、ＭＤの録音可能時間（ＴMD）が２７分の場合、表３に示すＣＤのどの曲を１／２に圧縮してもＭＤに録音しきれないことが分かる。
【０１２７】
そこで、２曲を組み合わせてそれぞれ１／２に圧縮する場合について考える。すなわち、図３に示すフローチャートのステップＳ１５からの２曲の組み合わせを求めていく。
【０１２８】
ｉ＝５、ｊ＝４の場合、すなわち、ＣＤの５曲目と４曲目とをそれぞれ１／２に圧縮する場合、
0003862945.tif 000015
であり、ｉ＝５、ｊ＝３の場合、すなわち、ＣＤの５曲目と３曲目とをそれぞれ１／２に圧縮する場合、
0003862945.tif 000016
となる。
【０１２９】
したがって、３曲目および５曲目を１／２圧縮すればＣＤ全曲がＭＤ内に録音されることになる。
【０１３０】
〔実施の形態２〕
本発明の他の実施の形態について説明すれば、以下の通りである。本実施の形態において、前記実施の形態１で用いた構成要素と同一の機能を有する構成要素には同一の部材番号を付記し、その説明を省略する。
【０１３１】
前記実施の形態１では、圧縮率ｃは単一で固定（１／２）であったが、本実施の形態では、複数とする。また、本実施の形態では、ＣＤの圧縮する曲の組み合わせを求める際に、圧縮曲数を増やすよりも圧縮率を上げることを優先する。
【０１３２】
なお、以下の説明では、前記実施の形態１にて示した機器の動作、すなわち固定の圧縮率を使用して編集動作を行なうモードを「モード１」とし、モード１においてＣＤの全ての曲がＭＤに録音できない場合に、複数の圧縮率を使用してＣＤの全ての曲がＭＤに録音できるように編集動作を行なうモードを「モード２」として説明する。
【０１３３】
図１において、機器の操作者がモード切替キー１３を押したならば、「モード１」、「モード２」が切り替わる。ここでのモード１，２は、前記実施の形態１で説明した、３つの録音モード（標準録音モード、第１圧縮録音モード、第２圧縮録音モード）とは独立したモードとなっている。
【０１３４】
ここで、本実施の形態に係る編集装置における編集動作について、図５および図６に示すフローチャートを参照しながら以下に説明する。なお、本説明では、図５および図６において破線で囲まれた部分が、前記実施の形態１の図２に示すフローチャートに加えられたものであり、他の部分の説明については前記実施の形態１と同様である。
【０１３５】
ステップＳ４１では、ＣＤ総演奏時間：ＴCD、ＣＤ各曲演奏時間：Ｔ1 〜ＴN （Ｎ曲入りディスク）がＣＤから読み取られ、入力される。
【０１３６】
ステップＳ４２では、ＭＤ録音可能時間：ＴMDが入力される。
【０１３７】
ステップＳ４３では、録音時の圧縮率ｃ１，ｃ２が入力される。ここで、ＭＤの場合は、ＡＴＲＡＣ３ＬＰ２で圧縮率ｃ１＝１／２、ＡＴＲＡＣ３ＬＰ４で圧縮率ｃ２＝１／４である。
【０１３８】
次に、ステップ４４では、圧縮率ｃをｃ１に設定し、続いて、ステップＳ４５でＴMD＞ＴCDの判定が行われる。ここで、ＹＥＳであれば、ステップＳ４６に移行し、全曲録音を行なう。この場合、ＣＤのどの曲も圧縮しなくてもＭＤに全曲録音することができる。
【０１３９】
一方、ステップＳ４５において、ＮＯであれば、次に、ステップＳ４７でＴMD＞ｃ２・ＴCDの判定が行われる。ここで、ＮＯであれば、全曲を圧縮率ｃ２で圧縮してもＭＤに全曲録音できないことがわかる（ステップＳ４８）。よって、従来技術で説明した図１０のフローチャートのステップＳ１０５と同様に、式（１）を満足するｍを求める（ステップＳ４９）。
【０１４０】
そして、機器の操作者によってSTART キー１２が押されたならば、ＣＤの１〜ｍ曲目までを録音し、ｍ＋１〜Ｎ曲目は録音しない（ステップＳ５０）。
【０１４１】
一方、ステップＳ４７において、ＹＥＳであれば、図６に示すステップＳ５１に移行し、変数ｉにＮ（ＣＤ最終曲ＴNo.)が設定された後、ステップＳ５２でｉ＝０の判定が行われる。
【０１４２】
ステップＳ５２でＹＥＳと判定された場合は、続いて、ステップＳ５６において、圧縮率ｃがｃ２にセットされているか否かが判定され、ＮＯであれば、ステップＳ５７において圧縮率ｃをｃ２にセットし、再びステップＳ４７に移行する。
【０１４３】
一方、ステップＳ５６でＹＥＳの場合は、圧縮率ｃ２でＣＤ１曲の場合の実録音時間（ｔ）の計算を終了したことになるので、前記実施の形態１で説明した図３に示すフローチャートのステップＳ１５に移行する。
【０１４４】
また、ステップＳ５２でＮＯと判定された場合は、まだ後述のｔをＣＤの１曲目まで計算していない場合であり、ステップＳ５３で、以下に示す判定式
ｔ＝ＴCD−Ｔi ＋ｃ１・Ｔi ＜ＴMD
の計算を行う。
【０１４５】
ここで、ステップＳ５３の判定でＹＥＳの場合、すなわち、ステップＳ５３で上記判定式を満足する場合は、ｉ曲目を圧縮率ｃ１とし、その他の曲は圧縮しないで録音する（ステップＳ５４）。つまり、ＣＤのｉ曲目を圧縮率ｃ１で圧縮録音すればＣＤの全曲がＭＤに録音可能であることがわかる。
【０１４６】
一方、ステップＳ５３の判定でＮＯの場合は、変数ｉを１減じて（ステップＳ５５）、再度ステップＳ５２に移行する。
【０１４７】
また、前記実施の形態１の図２ないし図４においても、本実施の形態における図５および図６で追加された内容と同じ処理を追加することにより、まず圧縮率ｃ１で実録音時間（ｔ）を計算し、ｔ＜ＴMDとならなければ次に圧縮率ｃ２で実録音時間計算を行い、圧縮率を上げてでもＣＤ全曲をＭＤ内へ録音することのできる編集装置を実現することができる。
【０１４８】
〔実施の形態３〕
本発明のさらに他の実施の形態について説明すれば、以下の通りである。本実施の形態においても、前記実施の形態１で用いた構成要素と同一の機能を有する構成要素には同一の部材番号を付記し、その説明を省略する。
【０１４９】
本実施の形態にかかる編集装置は、機器の操作者が特定のＣＤの曲については圧縮録音しないことを望んだ場合において、その曲を指定する手段を有し、指定された曲については、圧縮する曲の選曲から省く機能を有している。
【０１５０】
図１において、機器の操作者がＦＷＤキー１５、ＲＥＶキー１６を押すと、ＣＤの曲番号が順方向、逆方向に１ずつ変わる。該操作者の所望する曲となった時に非選曲指定キー１４を押せば、その曲（ＴZ ) は圧縮録音対象曲から外すこととする。さらに、他の曲の指定があるならば、同様の操作を繰り返す。
【０１５１】
ここで、本実施の形態に係る編集装置の編集動作について、図７および図８に示すフローチャートを参照しながら以下に説明する。なお、本説明では、図７および図８において破線で囲まれた部分が、前記実施の形態１の図２に示すフローチャートに加えられたものであり、他の部分の説明については前記実施の形態１と同様である。
【０１５２】
ステップＳ６１では、ＣＤ総演奏時間：ＴCD、ＣＤ各曲演奏時間：Ｔ1 〜ＴN （Ｎ曲入りディスク）がＣＤから読み取られ、入力される。
【０１５３】
ステップＳ６２では、ＭＤ録音可能時間：ＴMDが入力される。
【０１５４】
ステップＳ６３では、ＣＤの非圧縮曲：Ｔｚが入力され、続いて、ステップＳ６４でＴMD＞ＴCDの判定が行われる。ここで、ＹＥＳであれば、ステップＳ６５に移行し、全曲録音を行なう。この場合、ＣＤのどの曲も圧縮しなくてもＭＤに全曲録音することができる。
【０１５５】
一方、ステップＳ６４において、ＮＯであれば、次に、ステップＳ６６でＴMD＞ｃ・ＴCDの判定が行われる。ここで、ＮＯであれば、全曲を圧縮率ｃで圧縮してもＭＤに全曲録音できないことがわかる（ステップＳ６７）。よって、従来技術で説明した図１０のフローチャートのステップＳ１０５と同様に、式（１）を満足するｍを求める（ステップＳ６８）。
【０１５６】
そして、機器の操作者によってSTART キー１２が押されたならば、ＣＤの１〜ｍ曲目までを録音し、ｍ＋１〜Ｎ曲目は録音しない（ステップＳ６９）。
【０１５７】
一方、ステップＳ６６において、ＹＥＳであれば、図８に示すステップＳ７０に移行し、変数ｉにＮ（ＣＤ最終曲ＴNo.)が設定された後、ステップＳ７１でｉ＝ｚの判定が行われる。
【０１５８】
ステップＳ７１でＹＥＳと判定された場合は、続いて、ステップＳ７２において、ｉの値を減じてステップＳ７３に移行する。また、ＮＯであれば、そのままステップＳ７３に移行する。
【０１５９】
ステップＳ７３では、ｉ＝０の判定が行なわれる。ここで、ＹＥＳと判定された場合は、後述のｔをＣＤの１曲目まで計算してもｔ＜ＴMDとならなかった場合であり、前記実施の形態１の図３に示すステップＳ１５に移行し、以降のフローチャートでＣＤ２曲の組み合わせでｔ＜ＴMDとならないか計算を行う（ステップ１５以降）。
【０１６０】
一方、ステップＳ７３でＮＯと判定された場合は、まだ後述のｔをＣＤの１曲目まで計算していない場合であり、ステップＳ７４で、以下に示す判定式
ｔ＝ＴCD−Ｔi ＋ｃ・Ｔi ＜ＴMD
の計算を行う。
【０１６１】
ここで、ステップＳ７４の判定でＹＥＳの場合、すなわち、ステップＳ７４で上記判定式を満足する場合は、ｉ曲目を圧縮率ｃとし、その他の曲は圧縮しないで録音する（ステップＳ７５）。つまり、ＣＤのｉ曲目を圧縮率ｃで圧縮録音すればＣＤの全曲がＭＤに録音可能であることがわかる。
【０１６２】
一方、ステップＳ７４の判定でＮＯの場合は、変数ｉを１減じて（ステップＳ７６）、再度ステップＳ７３に移行する。
【０１６３】
このような編集動作により、指定された曲については、圧縮する曲の選曲から省くことができる編集装置が構成される。
【０１６４】
以上の結果から、本発明の編集装置は、図１に示すように、再生（例えばＣＤ）しようとする曲の情報を記憶するＣＤデータ記憶部２１と、記録側（例えばＭＤ）の録音時間を求めるＭＤ録音時間演算部４１と、情報を記録するために記録媒体の録音可能時間を記憶する録音可能時間記憶部２２と、録音の圧縮率を指定する圧縮率指定部２３と、以上のデータよりＣＤの任意の曲を圧縮して録音した場合の実際の録音に必要な時間を求める実録音時間演算部２４と、前記指定の圧縮率で録音するか否かを計算で求める圧縮録音曲決定部２６と、前記圧縮録音曲決定部２６に従い録音モードの設定を行う録音モード設定部４３と、再生側全曲が記録出来ない場合に、録音する曲を決定する録音曲設定部２５と、その情報によりＭＤ録音を制御するＭＤ制御部４と、ＣＤ再生部３と、ＭＤ録音部５とを有し、再生曲総時間をＴCD、録音可能時間をＴMDとしたときに、ＴCD＞ＴMDであれば前述の図２〜８までのフローチャートに記載の不等式を用いて必要最小限の曲数の録音圧縮率を上げることにより再生曲全てを記録媒体（ＭＤ）に録音可能としている。
【０１６５】
したがって、前記実施の形態１〜３によれば、ＣＤの総演奏時間が、ＭＤの非圧縮時の録音可能時間よりも長い場合でも、ＣＤの各曲を最終曲から順に圧縮したと仮定した実記録時間を求めていくことにより、ＣＤの曲を余すことなく、全曲ＭＤに録音することが可能となる。
【０１６６】
また、ＣＤの総演奏時間がＭＤの録音可能時間よりも長い場合に、ＣＤの少なくとも１曲を圧縮してＭＤに記録したときの実際の記録に必要な実記録時間を求め、この実記録時間が上記第２記録媒体の記録可能時間と同じか小さいときに、この実記録時間を実現する圧縮条件でＣＤの全曲をＭＤに記録するようになっているので、ＣＤの総演奏時間がＭＤの録音可能時間よりも長い場合でも、ＣＤの全曲をＭＤに簡単に記録することができる。
【０１６７】
しかも、ＣＤの曲のうち、圧縮対象となる曲が自動的に求まるようになっているので、従来のように、機器の操作者の『勘』によりどの情報を圧縮するかを決定する必要がなくなる。
【０１６８】
したがって、ＣＤの総演奏時間がＭＤの録音可能時間よりも長い場合に、機器の操作者の『勘』に頼ることなく、誰が操作をしても簡単にＣＤの全曲をＭＤに録音することができる。
【０１６９】
【発明の効果】
本発明の編集装置は、上記の課題を解決するために、任意の時間で構成された情報が複数記録された第１記録媒体を再生すると共に、この再生された情報を、上記第１記録媒体とは別の第２記録媒体に記録する情報記録再生手段と、上記第１記録媒体の情報の総再生時間が、上記第２記録媒体の記録可能時間よりも長い場合、上記第１記録媒体の各情報の少なくとも１つを圧縮して上記第２記録媒体に記録したときの実際の記録に必要な実記録時間が上記第２記録媒体の記録可能時間と同じか小さくなるような該第１記録媒体の情報の圧縮条件を求め、この圧縮条件で上記第１記録媒体の各情報を上記第２記録媒体に記録するように上記情報記録再生手段を制御する記録再生制御手段とを有する構成である。
【０１７０】
それゆえ、第１記録媒体の情報の総再生時間が第２記録媒体の記録可能時間よりも長い場合に、記録再生制御手段によって、第１記録媒体の各情報の少なくとも１つを圧縮して上記第２記録媒体に記録したときの実際の記録に必要な実記録時間が求められ、この実記録時間が上記第２記録媒体の記録可能時間と同じか小さいときに、この実記録時間を実現する圧縮条件で上記第１記録媒体に記録された情報を上記第２記録媒体に記録するように上記情報記録再生手段が制御される。
【０１７１】
これにより、第１記録媒体の情報の総再生時間が第２記録媒体の記録可能時間よりも長い場合でも、第１記録媒体の情報を全て第２記録媒体に記録することができる。
【０１７２】
しかも、第１記録媒体に記録されている情報のうち、圧縮対象となる情報が上記記録再生制御手段により自動的に求まるので、従来のように、機器の操作者の『勘』によりどの情報を圧縮するかを決定する必要がなくなる。
【０１７３】
したがって、第１記録媒体の情報の総再生時間が第２記録媒体の記録可能時間よりも長い場合に、機器の操作者の『勘』に頼ることなく、誰が操作をしても簡単に第１記録媒体の情報を全て第２記録媒体に記録することができるという効果を奏する。
【図面の簡単な説明】
【図１】本発明の編集装置の概略ブロック図である。
【図２】図１に示す編集装置の編集動作の流れを示すフローチャートである。
【図３】図１に示す編集装置の編集動作の流れを示すフローチャートである。
【図４】図１に示す編集装置の編集動作の流れを示すフローチャートである。
【図５】図１に示す編集装置における他の編集動作の流れを示すフローチャートである。
【図６】図１に示す編集装置における他の編集動作の流れを示すフローチャートである。
【図７】図１に示す編集装置におけるさらに他の編集動作の流れを示すフローチャートである。
【図８】図１に示す編集装置におけるさらに他の編集動作の流れを示すフローチャートである。
【図９】従来の編集装置の概略ブロック図である。
【図１０】図９に示す編集装置の編集動作の流れを示すフローチャートである。
【符号の説明】
２    ＣＤ制御部（記録再生制御手段）
３    ＣＤ再生部（情報記録再生手段）
４    ＭＤ制御部（記録再生制御手段）
５    ＭＤ録音部（情報記録再生手段）
１４    非選曲指定キー（非圧縮情報指定手段）
【図１】
0003862945.tif 000017
【図２】
0003862945.tif 000018
【図３】
0003862945.tif 000019
【図４】
0003862945.tif 000020
【図５】
0003862945.tif 000021
【図６】
0003862945.tif 000022
【図７】
0003862945.tif 000023
【図８】
0003862945.tif 000024
【図９】
0003862945.tif 000025
【図１０】
0003862945.tif 000026